(57)【要約】【課題】下部ストッパーと売り切れ感知レバーとが商品漏出液に起因する接着状態や、商品の張り付き状態に至ることがあっても、部品点数少ない構成で、確実に売切れ感知レバーを感知状態に復帰することができるとともに、確実に商品の払出しを可能にすることができる自動販売機の商品払出装置を提供する点にある。【解決手段】ネジリコイルバネ６のコイル部６Ａから延出する一方の直線状当て付け部６Ｂの途中部分を下部ストッパー２に当て付けるとともに、この当て付け部６Ｂの先端６Ｃを売切れ感知レバー３が下部ストッパー２に感知前の所定位置まで近接したとき，該売切れ感知レバー３の下面に当て付けるよう構成してある。【選択図】        図９
2004246573.tif 000002
【特許請求の範囲】
【請求項１】
複数の商品を積重ね収納する収納搬送通路の下部に、最下端に位置する商品を受止め支持する払出待機姿勢と受止め商品を下方に払い出す払出姿勢とに揺動切り替え自在な下部ストッパーを設け、この下部ストッパーに売切れ感知レバーを揺動自在に設け、この売切り感知レバーを下部ストッパーの上面から離隔した非感知姿勢に付勢するネジリコイルバネを設けてある自動販売機の商品払出装置であって、
ネジリコイルバネのコイル部から延出する一方の直線状当て付け部の途中部分を下部ストッパーに当て付けるとともに、この当て付け部の先端を売切れ感知レバーが下部ストッパーに感知前の所定位置まで近接したとき，該売切れ感知レバーの下面に当て付けるよう構成してある自動販売機の商品払出装置。
【請求項２】
前記ネジリコイルバネが、売切れ感知レバーの揺動軸に沿ってコイル部が分割され、各コイル部から延出する一方の直線状当て付け部の途中部分を下部ストッパーに当て付けているとともに、各コイル部から延出する他方の直線状当て付け部の先端同士を一体連結して売切れ感知レバーの下面に当て付けている請求項１記載の自動販売機の商品払出装置。
【請求項３】
前記下部ストッパーには、ネジリコイルネジの当て付け部から先端部に対応して、該当て付け部が売切れ感知レバーの近接状態で圧接収納される売切れ感知レバーの当接面よりも一段低い収まり溝が形成されている請求項１又は２記載の自動販売機の商品払出装置。
【発明の詳細な説明】
【０００１】
【発明の属する技術分野】
本発明は、商品の有無を検出する売切れ感知レバーを設けてある自動販売機の商品払出装置に関する。
【０００２】
【従来の技術】
牛乳、ジュース、お茶等の飲料を紙パック等で包装した商品を販売する従来の自動販売機の商品払出装置は、例えば、特許文献１に示すように、複数の商品を積重ね収納する収納搬送通路の下部に、最下端に位置する商品を受止め支持する払出待機姿勢と受止め商品を下方に払い出す払出姿勢とに揺動切り替え自在な下部ストッパーを設け、この下部ストッパーに売切れ感知レバーを揺動自在に設け、この売切り感知レバーを下部ストッパーの上面から離隔した非感知姿勢に付勢するネジリコイルバネを設けてある。
具体的には、下部ストッパーの下面を支持する半円盤状の操作片の支持状態によって、下部ストッパーの払出待機姿勢を形成し、操作片の中心軸周りの回動による操作片の非支持状態によって、下部ストッパーの下方揺動状態を許容して払出姿勢を形成している。
【０００３】
また、別の従来の自動販売機の商品払出装置としては、例えば、特許文献２に示すように、複数の商品を積重ね収納する二列の収納搬送通路の隣接間の下部に、各収納搬送通路の最下端に位置する商品を受止め支持する払出待機姿勢と受止め商品を下方に払い出す払出姿勢とに揺動切り替え自在な下部ストッパーと，これら両下部ストッパーを払出姿勢に収縮付勢するコイルスプリングを設けて、下部ストッパーに張り付いた商品を、商品払出し姿勢にすると同時に下部ストッパーに張り付いた商品を強制的な引き剥がしを可能にして、円滑に商品の払出しを可能にするものがある。
【０００４】
【特許文献１】
特許第２７５２２７４号公報（第３頁、図６，図９）
【特許文献２】
特許第２９５９６１６号公報
【０００５】
【発明が解決しようとする課題】
ところが、前記前者の特許文献１における自動販売機の商品払出装置においては，商品から漏れ出た収容商品本体である、例えば、ジュース類や乳酸飲料類等の商品漏出物が粘性付着することに起因して、下部ストッパーと売り切れ感知レバーとが払出姿勢で接着状態になってしまった場合、商品払出し状態から再び商品受止め状態に復帰した状態において、下部ストッパー売り切れ感知レバーが接着した状態のままにあると、収納搬送通路内の商品が全て払い出された状態にあっても、商品が収納搬送通路内に存在するような感知状態になる問題がある。
また、前記後者の特許文献２における自動販売機の商品払出装置においては，下部ストッパー上に商品が張り付くのを防止するために、下部ストッパーに張り付き防止専用のコイルスプリングを設けなければならず、部品点数や製作手間の増加を招来する問題がある。
【０００６】
本発明は、上述の実状に鑑みて為されたものであって、その主たる課題は、下部ストッパーと売り切れ感知レバーとが商品漏出液に起因する接着状態や、商品の張り付き状態に至ることがあっても、部品点数少ない構成で、確実に売切れ感知レバーを感知状態に復帰することができるとともに、確実に商品の払出しを可能にすることができる自動販売機の商品払出装置を提供する点にある。
【０００７】
【課題を解決するための手段】
本発明の請求項１による自動販売機の商品払出装置の特徴構成は、複数の商品を積重ね収納する収納搬送通路の下部に、最下端に位置する商品を受止め支持する払出待機姿勢と受止め商品を下方に払い出す払出姿勢とに揺動切り替え自在な下部ストッパーを設け、この下部ストッパーに売切れ感知レバーを揺動自在に設け、この売切り感知レバーを下部ストッパーの上面から離隔した非感知姿勢に付勢するネジリコイルバネを設けてある構成において、ネジリコイルバネのコイル部から延出する一方の直線状当て付け部の途中部分を下部ストッパーに当て付けるとともに、この当て付け部の先端を売切れ感知レバーが下部ストッパーに感知前の所定位置まで近接したとき，該売切れ感知レバーの下面に当て付けるよう構成してある点にある。
【０００８】
［作用］
上記特徴構成によれば、下部ストッパーに商品が載置されていない状態では、売切れ感知レバーはネジリコイルバネによる弾性付勢力によって、下部ストッパーから離れた非感知姿勢となり、下部ストッパーに商品が載置された状態では、売切れ感知レバーはネジリコイルバネの弾性付勢力に抗して下部ストッパーに接当する感知姿勢となるとともに、売切れ感知レバーが下部ストッパーに感知前の所定位置まで近接した状態から当接した状態に至るまで，該売切れ感知レバーの下面にネジリコイルバネの当て付け部の先端部が当て付け状態となり、先端部を介して当て付け部が折れ曲がる弾性変形力が下部ストッパーへの下方に向かう弾性付勢力として作用することになる。
【０００９】
［効果］
従って、商品払出しに伴って下部ストッパーの下方揺動が可能になった時点において、ネジリコイルバネの弾性付勢力によって下部ストッパーの下方揺動が促進されて円滑な商品払出しが可能となり、例え、下部ストッパー上に商品の内容物である商品本体の液体が、液漏れなどによって粘性付着して、その粘着力によって下部ストッパーと売切れ感知レバーと接着状態になったりしても、商品払出しに伴って下部ストッパーの下方揺動が可能になった時点において、ネジリコイルバネの弾性付勢力に加えて当て付け部の先端の折り曲げ変形力の反力よって，下部ストッパーと売切れ感知レバーとの接着状態、及び、商品の張り付き状態を強制的に解除して、下部ストッパーの下方揺動を促進して円滑な商品払出しを可能にすることができるので、下部ストッパーによる商品払出しの信頼性の向上を図ることができる。
しかも、売切れ感知レバーの復帰用のネジリコイルバネが、漏れでた商品内容物に起因する、下部ストッパーと売切れ感知レバーとの接着解除と、下部ストッパー上の商品の張り付き状態の解除を担う部品として機能兼用化される構成になっているので、従来のもののように、商品の張り付きなどを解除するために専用部品を用いた構成ではないので、その分、部品点数の削減化が可能となり、製作の合理化、及び、製作コストの削減化を図ることができる。
【００１０】
本発明の請求項２による自動販売機の商品払出装置の特徴構成は、前記ネジリコイルバネが、売切れ感知レバーの揺動軸に沿ってコイル部が分割され、各コイル部から延出する一方の直線状当て付け部の途中部分を下部ストッパーに当て付けているとともに、各コイル部から延出する他方の直線状当て付け部の先端同士を一体連結して売切れ感知レバーの下面に当て付けている点にある。
【００１１】
［作用］
上記特徴構成によれば、売切れ感知レバーは位置を異にして分割された直線状当て付け部によって当て付け支持することできる。
【００１２】
［効果］
従って、一本の直線状当て付け部によって当て付け支持される構造に比べて、売切れ感知レバーの支持状態に安定性があり、反復使用に対応した信頼性のある売り切れ感知レバー構造を形成することができる。
【００１３】
本発明の請求項３による自動販売機の商品払出装置の特徴構成は、前記下部ストッパーには、ネジリコイルバネの当て付け部から先端部に対応して、該当て付け部が売切れ感知レバーの近接状態で圧接収納される売切れ感知レバーの当接面よりも一段低い収まり溝が形成されている点にある。
【００１４】
［作用］
上記特徴構成によれば、下部ストッパーに売切れ感知レバーが近接した状態では、売切れ感知レバーに押されて当て付け部が弾性変形して、最終的には、収まり溝に当て付け部から先端部のネジリコイルバネ部分が収納された状態にすることができるので、収まり溝がなく下部ストッパーに売切れ感知レバーが近接した状態で、売切れ感知レバーと下部ストッパーとの間に当て付け部から先端部のネジリコイルバネ部分が挟み込まれた状態になるものと比べれば、挟み込まれない分、売切れ感知レバーの揺動角度量を増やすことができる。
【００１５】
［効果］
従って、売切れ感知レバーの揺動角度量が多い分、感知性能に融通を持たせることができるので、感知性能が良く信頼性のある商品払出装置を形成することができる。
【００１６】
【発明の実施の形態】
〔実施形態〕
以下、本発明の自動販売機の商品払出装置Ａを適用した一実施形態を図１〜図１２に示す図面に基づいて説明する。
この実施形態における自動販売機は、ジュース類、牛乳類等の飲料を立方体形態の紙パックからなる包装容器に詰め込んだ商品Ｇ等を対象とするものであり、図示しないが、商品サンプルにある複数の商品Ｇが、対応する収納搬送通路１，１の上下方向に積層する状態で在庫され、購入者が選択ボタンスイッチを操作して商品選択することによって、積層された最下端に位置する対応商品が払い出される構造になっている。
【００１７】
前記商品払出装置Ａは、図１〜図５に示すように、左右の壁板Ｋ，Ｋのほぼ中央に配置されて，左壁板Ｋとの対面間と、右壁板Ｋとの対面間とに収納搬送通路１，１が形成されると言うように、２列の収納搬送通路１，１のほぼ中間位置に配置されており、各収納搬送経路１，１に対応して最下部に売切れ感知レバー３を備えた下部ストッパー２，２が設けられ、更に上部に位置して上部ストッパー４，４がケーシングＢの窓Ｂ１を介して設けられている。
【００１８】
下部ストッパー２は、操作軸８を中心とする回動によって、回動軌跡上に前記左右の下部ストッパー２、２の下面が対応位置する操作片１０が配置されており、この操作片１０が支持する状態か支持しない状態によって、各収納搬送通路１，１の最下端に位置する商品Ｇ１を受止め支持する払出待機姿勢と受止め商品Ｇを下方に払い出す払出姿勢とに揺動切り替え自在な構造になっている。
【００１９】
下部ストッパー２は、ケーシングＢに形成された高さ変更溝５・・・内の複数位置で選択的に係合可能な係合操作体２１を一体形成する可動支持部材２０に支持軸２２を介して揺動自在に支承され、支持軸２２に外嵌されたネジリコイルバネ６のコイル部６Ａから延出する一方の直線状当て付け部６Ｂ，６Ｂの途中部分を下部ストッパー２に当て付けるとともに、この当て付け部６Ｂ，６Ｂの先端６Ｃ，６Ｃを売切れ感知レバー３が下部ストッパー２に感知前の所定位置まで近接したとき，該売切れ感知レバー３の下面に当て付けるよう構成されていることによって、各下部ストッパー２，２の商品受け面よりも売切れ感知レバー３が上方に突出して商品Ｇの有無を検出可能になっている。
【００２０】
ネジリコイルバネ６は、売切れ感知レバー３の揺動軸である支持軸２２に沿ってコイル部６Ａが分割され、各コイル部６Ａから延出する一方の直線状当て付け部６Ｂ，６Ｂの途中部分を下部ストッパー２の上面に当て付けているとともに、各コイル部６Ａから延出する他方の直線状当て付け部６Ｄ，６Ｄの先端同士を一体連結して売切れ感知レバー３の下面に当て付けている。
【００２１】
また、下部ストッパー２には、ネジリコイルネジ６の当て付け部６Ｂから先端６Ｃに対応して、該当て付け部Ｂが売切れ感知レバー３の近接状態で圧接収納される売切れ感知レバー３の当接面よりも一段低い収まり溝２Ａが形成されている。
【００２２】
このような商品払出装置Ａは、図８、図１０に示すように、複数の商品Ｇを積重ね収納する各収納搬送通路１，１の下部に、最下端に位置する商品Ｇ１を受止め支持する下部ストッパー２と、最下端から二番目に位置する商品Ｇ２を壁板への押圧状態で受止め支持する上部ストッパー４とを配設して、最下端から二番目に位置する商品Ｇ２を受止めながら最下端に位置する商品Ｇ１を一つずつ払い出すように構成してある。
【００２３】
売切れ感知レバー３の基端部には、金属製の操作線状体３０の下端部が、折り曲げ板状の連結部材３１を介して連結されているとともに、操作線状体３０の上端部を、後述するモーター装置７に設けられた検知スイッチ３２の感知片３２ａに係止連結して、売切れ感知レバー３が支持軸周りで，下部ストッパー２に近接する状態では、商品Ｇが下部ストッパー２に受止め状態にあることを受けて、売切れを感知せず、下部ストッパー２から離隔する状態では、商品Ｇが下部ストッパー２に受止め状態にないことを受けて、売切れを感知するスイッチ構成になっている。
【００２４】
商品払出装置Ａには、ケーシングＢの上部に減速装置を介してモーター出力するモーター装置７が配備され、このモーター装置７の出力軸に操作軸８の基端８Ａが連結され、操作軸８の中間部に偏芯カム９が設けられ、操作軸８の先端に半円盤状の操作片１０が設けられている。
【００２５】
前記両上部ストッパー４，４は、ケーシングＢに対して昇降自在に組み付けられた可動支持部材２０に揺動自在に支承されており、このような上部ストッパー４に対して前記偏芯カム９は、上部ストッパー４，４の上下位置変更範囲に亘って対応可能な上下長さに配置され、偏芯カム９が操作軸８を中心に回動することによって対応する上部ストッパー４の揺動が可能になっている。
【００２６】
また、操作軸８を中心とする回動によって、図１に示すように、左右の上部ストッパー４，４の両方ともに偏芯カム９が作用しない回動位置では、夫々の上部ストッパー４，４が可動支持部材２０に対して垂れ下がった非受止め状態になるとともに、左右両方の下部ストッパー２，２は、下面に夫々に操作片１０が当接して持ち上がった受止め支持状態になる。
【００２７】
図３に示すように、右方の上部ストッパー４に偏芯カム９が作用する回動位置では、右方の上部ストッパー４が可動支持部材２０に対して持ち上がった受止め状態になるとともに、左方の上部ストッパー４が可動支持部材２０に対して垂れ下がった非受止め状態になり、右方の上部ストッパー４側の下部ストッパー２は操作片１０が当接しない垂れ下さがった非受止め状態となり、また、左方の上部ストッパー４側の下部ストッパー２に対しては操作片１０が当接して持ち上がった受止め状態となる。例えば、選択ボタンスイッチ（図示せず）を操作して商品Ｇを選択することによってモーター装置７が駆動状態となって、図１に示すように、右方の下部ストッパー２が商品Ｇを受止め支持する状態から、図３に示すように、偏芯カム９が回動して、右方の上部ストッパー４が非受止め状態から受止め支持状態となるとともに、右方の下部ストッパー２が払出し揺動することに続いて、再び、図１に示すように、夫々の上部ストッパー４が非受止め状態になるとともに、左右両方の下部ストッパー２の下面に夫々に操作片１０が当接して、残る商品Ｇを受止め支持する状態に戻るようになっている。
【００２８】
さらに、図４に示すように、左方の上部ストッパー４に偏芯カム９が作用する状態では、左方の上部ストッパー４が可動支持部材２０に対して持ち上がった受止め状態になるとともに、右方の上部ストッパー４が可動支持部材２０に対して垂れ下がった非受止め状態になり、左方の上部ストッパー４側の下部ストッパー２は操作片１０が当接しない垂れ下さがった非受止め状態となり、右方の上部ストッパー４側の下部ストッパー２に対しては操作片１０が当接して持ち上がった受止め状態となるようになっており、例えば、選択ボタンスイッチを操作して商品Ｇを選択することによってモーター装置７が駆動状態となって、図１に示すように、右方の下部ストッパー２が商品Ｇを受止め支持する状態から、偏芯カム９が回動して、図４に示すように、左方の上部ストッパー４が非受止め状態から受止め支持状態となるとともに、左方の下部ストッパー２が払出し揺動することに続いて、再び、図１に示すように、夫々の上部ストッパー４，４が非受止め状態になるとともに、左右両方の下部ストッパー２の下面に夫々に操作片１０が当接して、残る商品Ｇを受止め支持する状態に戻るようになっている。
【００２９】
ケーシングＢの一側板部には、図２に示すように、上下方向に沿った長方形状の開口窓Ｂ２が形成され、この開口窓Ｂ２に対応して、上下方向に沿って複数の高さ変更溝５・・・が形成された係合板４０が取付けられている。
【００３０】
可動支持部材２０の係合操作体２１は、図５〜図７に示すように、ケーシングＢの一側板部に取付けられた係合板４０の複数の高さ変更溝５・・・に対して、弾性変形による幅方向の弾性付勢力によって係合可能であるとともに、この係合操作体２１は、弾性付勢力に抗して弾性変形された操作状態で係合解除可能なノブ付きレバー部２１Ａと、このノブ付きレバー部２１Ａと高さ変更溝５との係合を解除した状態で、上下の高さ変更溝５に沿って連通形成された縦溝５Ａに位置する移動レバー部２１Ｂとから構成され、積層方向の高さ等で大きさの異なる商品Ｇに対応して上部ストッパー４を位置変更することができるようになっている。
【００３１】
可動支持部材２０は、図２〜図７に示すように、ケーシングＢ内に組み付けられ、所定幅間隔で平行に対峙し上下方向にレール溝１１Ａが形成された一組のレール部材１１、１１と、幅方向両側下部に設けられたレール従動体２０Ｆ，２０Ｆを対応するレール溝１１Ａに嵌め込んで、レール溝１１Ａに沿って上下方向に移動が可能なポリアセタール（ＰＯＭ）等の合成樹脂によって形成されている。
【００３２】
また、可動支持部材２０の下端には、上部ストッパー４の揺動支軸４Ａが支承され、可動支持部材２０の上部には、幅方向内方に向け弾性付勢するノブ付きレバー部２１Ａが一体形成され、このノブ付きレバー２１Ａの内方に向く弾性付勢力によって、レバー部分２１Ａが高さ変更溝５に嵌合する状態では、図５に示すように、可動支持部材２０の上下動を規制し、図６に示すように、可動支持部材２０を弾性付勢力に抗して外方に引っ張ってレバー部分２１Ａと高さ変更溝５との嵌合を解除した状態では、レバー部分２１Ａに連続して一体形成された細枠体状の移動レバー部２０Ｂが縦溝５Ａに位置して可動支持部材２０を上下方向に移動可能であるとともに、上下方向に間隔を開けて形成された複数の高さ変更溝５・・・の一つに引っ張り状態を解除することで嵌合が可能に構成され、目的とする高さ位置に対応する高さ変更溝５に嵌合することによって、上部ストッパー４，４の高さ変更が可能になっている。
【００３３】
また、可動支持部材２０には、図１１、図１２（イ）、（ロ）に示すように、上部ストッパー４の揺動軸部４Ａの両端部を支承する横倒しＵ字状の一側開口の軸受け部２０Ｃの両端支持部２０Ｄ、２０Ｄが、収納搬送通路１，１とは反対側に向いて開口形成され、この軸受け部２０Ｃの開口入口側には、揺動軸部４Ａの中間部を支承する際に案内テーパ面２０ａに沿って軸受け部４Ａを弾性変形させて、揺動軸部４Ａを外部から軸受け部２０Ｃ内に支承可能であるとともに、軸受け部２０Ｃに支承された揺動軸部４Ａを抜け止め状態に支承可能な抜け止め手段である一対の抜止め突起２０Ｅ，２０Ｅが一体形成され、揺動軸周りで上部ストッパー４が揺動可能になっている。
【００３４】
このような構成にすることによって、自動販売機の商品選択スイッチが非作動状態では、図８に示すように、左右両下部ストッパー２は操作片１０によって持ち上がった商品受止め状態にあり、この状態から商品選択スイッチが選択されることによって、図９に示すように、操作軸８が９０度回動して、左方の下部ストッパー２による商品支持状態が解除され、この下部ストッパー２が自重揺動することに加えてネジリコイルバネ６の弾性付勢力によって垂れ下がり状態になることに連動して、左方の収納搬送通路１において最下端にあった商品Ｇが落下により払い出されるとともに、この払出しによる操作軸８の回動によって、図１０に示すように、払い出された商品Ｇ側の上部ストッパー４，４が偏芯カム９のカム部に押されて持ち上がり状態になって、商品Ｇの払出しが終了するまで下から２番目の商品Ｇ２が受止め支持される。
【００３５】
そして、これら動作に連続して、さらに操作軸８が９０度回動又は９０度逆回動することによって、図８に示すように、左右両下部ストッパー２，２が操作片１０によって受止められた持ち上げ状態になるとともに、両上部ストッパー４，４に対する偏芯カム９が非作用状態になることによって、左方の収納搬送通路１における下から２番目の商品Ｇが最下端の商品Ｇ１として、左方の下部ストッパー２上に受止め支持される。
【００３６】
詳しくは、下部ストッパー２に商品が載置されていない状態では、売切れ感知レバー３はネジリコイルバネ６による弾性付勢力によって、下部ストッパー２から離れた非感知姿勢となり、下部ストッパー２に商品Ｇが載置された状態では、売切れ感知レバー３はネジリコイルバネ６の弾性付勢力に抗して下部ストッパー２に接当する感知姿勢となるとともに、売切れ感知レバー３が下部ストッパー２に感知前の所定位置まで近接した状態から当接した状態に至るまで，該売切れ感知レバー３の下面にネジリコイルバネ６の当て付け部６Ｂの先端６Ｃが当て付け状態となり、先端６Ｃを介して当て付け部６Ｂが折れ曲がる弾性変形力が下部ストッパー２への下方に向かう弾性付勢力として作用することになる。
【００３７】
従って、商品払出しに伴って下部ストッパー２の下方揺動が可能になった時点において、図９（イ）、（ロ）、（ハ）に示すように、自重揺動することに加えてネジリコイルバネ６の弾性付勢力によって下部ストッパー２の下方揺動が促進されて円滑な商品払出しが可能となる。
【図面の簡単な説明】
【図１】本発明の商品払出装置の一実施形態を示す側断面図
【図２】商品払出装置の主要な構成部材を示す分解斜視図
【図３】下部ストッパーと上部ストッパーとの関係を示す動作説明図
【図４】下部ストッパーと上部ストッパーとの関係を示す動作説明図
【図５】商品払出装置図の正断面図
【図６】可動支持部材の係合操作体と高さ変更溝との関係を示す簡略正断面図
【図７】商品払出装置図の正断面図
【図８】商品と下部ストッパーと上部ストッパーとの関係を示す動作説明図
【図９】商品と下部ストッパーと売切れ感知レバーとの関係を示す動作説明図（イ）は商品の払出待機姿勢を示動作説明図（ロ）は商品の初期の払出姿勢における下部ストッパーと売切れ感知レバーとの関係を示す動作説明図（ハ）は商品の中期の払出姿勢における下部ストッパーと売切れ感知レバーとの関係を示す動作説明図
【図１０】商品と下部ストッパーと上部ストッパーとの関係を示す動作説明図
【図１１】可動支持部材の軸受け部を示す要部正面図
【図１２】上部ストッパーの揺動支軸とこれに対応する軸受け部を示す要部断面図
（イ）は上部ストッパーの揺動支軸を軸受け部に支承する前の状態を示す要部断面図
（ロ）は上部ストッパーの揺動支軸を軸受け部に支承した状態を示す要部断面図
【符号の説明】
Ａ              商品払出装置
Ｇ              商品
１              収納搬送通路
２              下部ストッパー
２Ａ            収まり溝
３              売切れ感知レバー
６              ネジリコイルバネ
６Ａ            コイル部
６Ｂ            一方の直線状当て付け部
６Ｃ            先端
６Ｄ            他方の直線状当て付け部
【図１】
2004246573.tif 000003
【図２】
2004246573.tif 000004
【図３】
2004246573.tif 000005
【図４】
2004246573.tif 000006
【図５】
2004246573.tif 000007
【図６】
2004246573.tif 000008
【図７】
2004246573.tif 000009
【図８】
2004246573.tif 000010
【図９】
2004246573.tif 000011
【図１０】
2004246573.tif 000012
【図１１】
2004246573.tif 000013
【図１２】
2004246573.tif 000014